(57)【要約】  本発明は、モバイル端末機、ディスプレイ装置及びその制御方法に係り、モバイル端末機は、撮影を行って映像を生成するカメラ部と；音声を入力する音声入力部と；ユーザの入力を受信するユーザ入力部と；画面を表示するディスプレイ部と；無線ネットワークを通じて相手の端末機と通信する無線通信部と；前記カメラ部によって生成された映像及び前記音声入力部によって入力された音声を含む映像通話データを前記ユーザの入力に従って前記相手の端末機に送信して映像通話を行い、前記映像通話中、共有イメージを前記ディスプレイ部に表示し、前記共有イメージを前記映像通話データに付加して、前記相手の端末機に送信する制御部と；を含む。
2013511194.tif 000002
【特許請求の範囲】
【請求項１】
撮影を行って映像を生成するカメラ部と；
音声を入力する音声入力部と；
ユーザの入力を受信するユーザ入力部と；
画面を表示するディスプレイ部と；
無線ネットワークを通じて相手の端末機と通信する無線通信部と；
前記カメラ部によって生成された映像及び前記音声入力部によって入力された音声を含む映像通話データを前記ユーザの入力に従って前記相手の端末機に送信して映像通話を行い、前記映像通話中、共有イメージを前記ディスプレイ部に表示し、前記共有イメージを前記映像通話データに付加して、前記相手の端末機に送信する制御部と；
を含むことを特徴とするモバイル端末機。
【請求項２】
前記制御部は、前記ユーザの入力に従って前記共有イメージに対する編集を行って、前記共有イメージの編集情報を前記映像通話データに付加して、前記相手の端末機に送信することを特徴とする請求項１に記載のモバイル端末機。
【請求項３】
前記ユーザ入力部は、前記ディスプレイ部上でのユーザのジェスチャーを感知すると共に、
前記編集情報は、前記ユーザのジェスチャーに対応するジェスチャーイメージを含むことを特徴とする請求項２に記載のモバイル端末機。
【請求項４】
前記制御部は、前記ジェスチャーイメージを前記共有イメージに重なるように前記ディスプレイ部に表示することを特徴とする請求項３に記載のモバイル端末機。
【請求項５】
前記映像通話データは、前記カメラ部によって生成された映像と、前記共有イメージの合成映像を含むことを特徴とする請求項１に記載のモバイル端末機。
【請求項６】
前記合成映像に前記共有イメージに対する編集情報が反映されることを特徴とする請求項５に記載のモバイル端末機。
【請求項７】
前記映像通話データは、前記カメラ部によって生成された映像及び前記共有イメージを区分できるようにする識別情報を含むことを特徴とする請求項１に記載のモバイル端末機。
【請求項８】
前記無線通信部は、前記相手の端末機から前記共有イメージに対する相手の編集情報を受信し、
前記制御部は、前記相手の編集情報が反映された前記共有イメージを前記ディスプレイ部に表示することを特徴とする請求項１に記載のモバイル端末機。
【請求項９】
前記無線通信部は、前記相手の端末機から前記共有イメージの選択情報を受信し、
前記制御部は、前記選択情報に従って前記共有イメージを選択することを特徴とするモバイル端末機。
【請求項１０】
撮影を行って映像を生成するカメラ部と；
音声を入力する音声入力部と；
画面を表示するディスプレイ部と；
無線ネットワークを通じて相手の端末機と通信する無線通信部と；
前記カメラ部によって生成された映像及び前記音声入力部によって入力された音声を前記相手の端末機に送信して映像通話を行い、前記映像通話中、前記相手の端末機から映像通話の映像と共有イメージを含む映像通話データを受信して、前記映像通話の映像及び前記共有イメージを前記ディスプレイ部に表示する制御部と；
を含むことを特徴とするモバイル端末機。
【請求項１１】
前記映像通話データは、前記共有イメージに対する編集情報をさらに含み、
前記制御部は、前記共有イメージに前記編集情報を反映して表示することを特徴とする請求項１０に記載のモバイル端末機。
【請求項１２】
前記編集情報は、前記相手の端末機のユーザのジェスチャーに対応するジェスチャーイメージを含むことを特徴とする請求項１１に記載のモバイル端末機。
【請求項１３】
前記制御部は、前記編集情報を前記共有イメージに重なるように前記ディスプレイ部に表示することを特徴とする請求項１２に記載のモバイル端末機。
【請求項１４】
前記映像通話データは、前記相手の端末機からの映像通話の映像と前記共有イメージの合成映像を含むことを特徴とする請求項１０に記載のモバイル端末機。
【請求項１５】
前記合成映像に前記共有イメージに対する編集情報が反映されることを特徴とする請求項１４に記載のモバイル端末機。
【請求項１６】
前記制御部は、前記映像通話データに含まれた識別情報に基づいて、前記映像通話の映像と前記共有イメージのデータが受信されるように前記無線通信部を制御することを特徴とする請求項１０に記載のモバイル端末機。
【請求項１７】
ユーザの入力を受信するユーザ入力部をさらに含み、
前記制御部は、前記ユーザの入力に従って前記共有イメージに対する編集を行って、前記共有イメージの編集情報を前記相手の端末機に送信することを特徴とする請求項１０に記載のモバイル端末機。
【請求項１８】
ユーザの入力を受信するユーザ入力部をさらに含み、
前記制御部は、前記ユーザの入力に従って前記共有イメージを選択して、前記共有イメージの選択情報を前記相手の端末機に送信することを特徴とする請求項１０に記載のモバイル端末機。
【請求項１９】
前記無線通信部は、ディスプレイ装置と無線通信を行い、
前記制御部は、前記共有イメージを前記ディスプレイ装置に送信することを特徴とする請求項１０に記載のモバイル端末機。
【請求項２０】
前記無線通信部は、ディスプレイ機能を有する複数の電子装置と無線通信を行い、
前記制御部は、前記複数の電子装置の中で選択された少なくとも一つの電子装置に前記共有イメージを送信することを特徴とする請求項１０に記載のモバイル端末機。
【請求項２１】
ユーザの入力を受信するユーザ入力部をさらに含み、
前記制御部は、前記ユーザの入力に従って選択された少なくとも一つの電子装置に前記共有イメージを送信することを特徴とする請求項２０に記載のモバイル端末機。
【請求項２２】
前記制御部は、前記複数の電子装置それぞれの属性に基づいて、前記共有イメージを送信する電子装置を選択することを特徴とする請求項２０に記載のモバイル端末機。
【請求項２３】
前記制御部は、前記選択された電子装置の属性に対応して、送信する前記共有イメージを変換することを特徴とする請求項２２に記載のモバイル端末機。
【請求項２４】
前記制御部は、前記複数の電子装置の中で前記共有イメージの属性に基づいて、前記共有イメージを送信する電子装置を選択することを特徴とする請求項２０に記載のモバイル端末機。
【請求項２５】
前記制御部は、前記複数の電子装置の中でユーザの属性に基づいて、前記共有イメージを送信する電子装置を選択することを特徴とする請求項２０に記載のモバイル端末機。
【請求項２６】
撮影を行って映像を生成するカメラ部と；
音声を入力する音声入力部と；
画面を表示するディスプレイ部と；
無線ネットワークを通じて相手の端末機及びディスプレイ機能を有する少なくとも一つの電子装置と通信を行う無線通信部と；
前記カメラ部によって生成された映像及び前記音声入力部によって入力された音声を前記相手の端末機に送信して映像通話を行い、前記映像通話中、前記相手の端末機から映像通話の映像と共有イメージを含む映像通話データを受信して、前記共有イメージを前記電子装置に送信する制御部と；
を含むことを特徴とするモバイル端末機。
【請求項２７】
前記映像通話データは、前記共有イメージに対する編集情報を含み、
前記制御部は、前記編集情報を前記電子装置に送信することを特徴とする請求項２６に記載のモバイル端末機。
【請求項２８】
前記無線通信部は、前記電子装置からユーザの編集情報を受信し、
前記制御部は、前記ユーザの編集情報を前記相手の端末機に送信することを特徴とする請求項２６に記載のモバイル端末機。
【請求項２９】
ユーザの入力を受信するユーザ入力部をさらに含み、
前記制御部は、前記ユーザの入力に従って前記共有イメージを選択して、前記共有イメージの選択情報を前記相手の端末機に送信することを特徴とする請求項２６に記載のモバイル端末機。
【請求項３０】
ユーザの入力を受信するユーザ入力部をさらに含み、
前記制御部は、複数の前記電子装置の中で前記ユーザの入力に従って選択された少なくとも一つの電子装置に前記共有イメージを送信することを特徴とする請求項２６に記載のモバイル端末機。
【請求項３１】
前記制御部は、複数の前記電子装置の中で各電子装置の属性に基づいて、前記共有イメージを送信する電子装置を選択することを特徴とする請求項２６に記載のモバイル端末機。
【請求項３２】
前記制御部は、前記選択された電子装置の属性に対応して、送信する前記共有イメージを変換することを特徴とする請求項３１に記載のモバイル端末機。
【請求項３３】
前記制御部は、複数の前記電子装置の中で前記共有イメージの属性に基づいて、前記共有イメージを送信する電子装置を選択することを特徴とする請求項２６に記載のモバイル端末機。
【請求項３４】
前記制御部は、複数の前記電子装置の中でユーザの属性に基づいて、前記共有イメージを送信する電子装置を選択することを特徴とする請求項２６に記載のモバイル端末機。
【請求項３５】
映像信号を受信する信号受信部と；
前記映像信号を処理する信号処理部と；
前記信号処理部によって処理された映像信号に基づく映像を表示するディスプレイ部と；
無線ネットワークを通じてモバイル端末機と通信を行う無線通信部と；
ユーザの入力を受信するユーザ入力部と；
前記モバイル端末機から共有イメージと前記共有イメージに対する第１編集情報を受信して、前記第１編集情報が反映された前記共有イメージを前記ディスプレイ部に表示し、前記ユーザの入力に従って前記共有イメージに対する編集を行って、前記ユーザの入力による第２編集情報を前記モバイル端末機に送信する制御部と；
を含むことを特徴とするディスプレイ装置。
【請求項３６】
無線ネットワークを通じて相手の端末機と連結されたモバイル端末機の制御方法において、
前記相手の端末機と映像及び音声を含む映像通話データを送受信して映像通話を行う段階と；
前記映像通話中、共有イメージを表示する段階と；
前記映像通話データに前記共有イメージを付加して前記相手の端末機に送信する段階と；
を含むことを特徴とするモバイル端末機の制御方法。
【請求項３７】
ユーザの入力に従って前記共有イメージに対する編集を行う段階をさらに含み、
前記送信する段階は、前記共有イメージに対する編集情報を前記映像通話データに付加して前記相手の端末機に送信する段階を含むことを特徴とする請求項３６に記載のモバイル端末機の制御方法。
【請求項３８】
前記編集を行う段階は、前記ディスプレイ部上でのユーザのジェスチャーを感知する段階を含み、
前記編集情報は、前記ユーザのジェスチャーに対応するジェスチャーイメージを含むことを特徴とする請求項３７に記載のモバイル端末機の制御方法。
【請求項３９】
前記編集を行う段階は、前記ジェスチャーイメージを前記共有イメージに重なるように前記ディスプレイ部に表示する段階をさらに含むことを特徴とする請求項３８に記載のモバイル端末機の制御方法。
【請求項４０】
前記送信する段階は、
前記カメラ部によって生成された映像と、前記共有イメージの合成映像を生成する段階と；
前記合成映像を前記相手の端末機に送信する段階と；
を含むことを特徴とする請求項３６に記載のモバイル端末機の制御方法。
【請求項４１】
前記合成映像を生成する段階で、前記合成映像には前記共有イメージに対する編集情報が反映されることを特徴とする請求項４０に記載のモバイル端末機の制御方法。
【請求項４２】
前記映像通話データは、前記映像通話の映像と、前記共有イメージを区分することができるようにする識別情報を含むことを特徴とする請求項３６に記載のモバイル端末機の制御方法。
【請求項４３】
前記相手の端末機から前記共有イメージに対する相手の編集情報を受信する段階と；
前記相手の編集情報が反映された前記共有イメージを表示する段階と；
をさらに含むことを特徴とする請求項３６に記載のモバイル端末機の制御方法。
【請求項４４】
前記相手の端末機から前記共有イメージの選択情報を受信する段階と；
前記選択情報に従って前記共有イメージを選択する段階と；
をさらに含むことを特徴とする請求項３６に記載のモバイル端末機の制御方法。
【請求項４５】
無線ネットワークを通じて相手の端末機と連結されたモバイル端末機の制御方法において、
前記相手の端末機と映像及び音声を送受信して映像通話を行う段階と；
前記映像通話中、前記相手の端末機から映像通話の映像及び共有イメージを含む映像通話データを受信する段階と；
前記映像通話の映像及び前記共有イメージを表示する段階と；
を含むことを特徴とするモバイル端末機の制御方法。
【請求項４６】
前記映像通話データは、前記共有イメージに対する編集情報をさらに含み、
前記表示する段階は、前記共有イメージに前記編集情報を反映して表示する段階を含むことを特徴とする請求項４５に記載のモバイル端末機の制御方法。
【請求項４７】
前記編集情報は、前記相手の端末機のユーザのジェスチャーに対応するジェスチャーイメージを含むことを特徴とする請求項４５に記載のモバイル端末機の制御方法。
【請求項４８】
前記表示する段階は、前記編集情報を前記共有イメージに重なるように表示する段階を含むことを特徴とする請求項４７に記載のモバイル端末機の制御方法。
【請求項４９】
前記映像通話データは、前記相手の端末機からの映像通話の映像と前記共有イメージの合成映像を含むことを特徴とする請求項４５に記載のモバイル端末機の制御方法。
【請求項５０】
前記合成映像には前記共有イメージに対する編集情報が反映されることを特徴とする請求項４９に記載のモバイル端末機の制御方法。
【請求項５１】
前記受信する段階は、前記映像通話データに含まれた識別情報に基づいて、前記映像通話の映像と前記共有イメージを受信する段階を含むことを特徴とする請求項４５に記載のモバイル端末機の制御方法。
【請求項５２】
ユーザの入力に従って前記共有イメージに対する編集を行う段階と；
前記ユーザの入力による編集情報を前記相手の端末機に送信する段階と；
をさらに含むことを特徴とする請求項４５に記載のモバイル端末機の制御方法。
【請求項５３】
ユーザの入力に従って前記共有イメージを選択する段階と；
前記共有イメージの選択情報を前記相手の端末機に送信する段階と；
をさらに含むことを特徴とする請求項４５に記載のモバイル端末機の制御方法。
【請求項５４】
無線ネットワークを通じて連結されたディスプレイ装置に前記共有イメージを送信する段階をさらに含むことを特徴とする請求項４５に記載のモバイル端末機の制御方法。
【請求項５５】
ディスプレイ機能を有する複数の電子装置の中で少なくとも一つの電子装置を選択する段階と；
前記選択された少なくとも一つの電子装置に前記共有イメージを送信する段階と；
をさらに含むことを特徴とする請求項４５に記載のモバイル端末機の制御方法。
【請求項５６】
前記選択する段階は、
ユーザの入力に従って前記少なくとも一つの電子装置を選択する段階を含むことを特徴とする請求項５５に記載のモバイル端末機の制御方法。
【請求項５７】
前記選択する段階は、
前記複数の電子装置それぞれの属性に基づいて、前記少なくとも一つの電子装置を選択する段階を含むことを特徴とする請求項５５に記載のモバイル端末機の制御方法。
【請求項５８】
前記選択された電子装置の属性に対応して、送信する前記共有イメージを変換する段階をさらに含むことを特徴とする請求項５７に記載のモバイル端末機の制御方法。
【請求項５９】
前記選択する段階は、
前記共有イメージの属性に基づいて、前記少なくとも一つの電子装置を選択する段階を含むことを特徴とする請求項５５に記載のモバイル端末機の制御方法。
【請求項６０】
前記選択する段階は、
ユーザの属性に基づいて前記少なくとも一つの電子装置を選択する段階を含むことを特徴とする請求項５５に記載のモバイル端末機の制御方法。
【請求項６１】
無線ネットワークを通じて相手の端末機及びディスプレイ機能を有する少なくとも一つの電子装置と連結されたモバイル端末機の制御方法において、
前記相手の端末機と映像及び音声を送受信して映像通話を行う段階と；
前記映像通話中、前記相手の端末機から映像通話の映像と、共有イメージを含む映像通話データを受信する段階と；
前記共有イメージを前記電子装置に送信する段階と；
を含むことを特徴とするモバイル端末機の制御方法。
【請求項６２】
前記映像通話データは、前記共有イメージに対する編集情報を含み、
前記送信する段階は、前記編集情報を前記電子装置に送信する段階を含むことを特徴とする請求項６１に記載のモバイル端末機の制御方法。
【請求項６３】
前記ディスプレイ装置からユーザの編集情報を受信する段階と；
前記ユーザの編集情報を前記相手の端末機に送信する段階と；
をさらに含むことを特徴とする請求項６１に記載のモバイル端末機の制御方法。
【請求項６４】
ユーザの入力に従って前記共有イメージを選択する段階と；
前記共有イメージの選択情報を前記相手の端末機に送信する段階と；
をさらに含むことを特徴とする請求項６１に記載のモバイル端末機の制御方法。
【請求項６５】
複数の前記電子装置の中で少なくとも一つの電子装置を選択する段階をさらに含み、
前記共有イメージは、前記選択された少なくとも一つの電子装置に送信されることを特徴とする請求項６１に記載のモバイル端末機の制御方法。
【請求項６６】
前記選択する段階は、
ユーザの入力に従って前記少なくとも一つの電子装置を選択する段階を含むことを特徴とする請求項６５に記載のモバイル端末機の制御方法。
【請求項６７】
前記選択する段階は、
前記複数の電子装置それぞれの属性に基づいて、前記少なくとも一つの電子装置を選択する段階を含むことを特徴とする請求項６５に記載のモバイル端末機の制御方法。
【請求項６８】
前記選択された電子装置の属性に対応して、送信する前記共有イメージを変換する段階をさらに含むことを特徴とする請求項６７に記載のモバイル端末機の制御方法。
【請求項６９】
前記選択する段階は、
前記共有イメージの属性に基づいて、前記少なくとも一つの電子装置を選択する段階を含むことを特徴とする請求項６５に記載のモバイル端末機の制御方法。
【請求項７０】
前記選択する段階は、
ユーザの属性に基づいて前記少なくとも一つの電子装置を選択する段階を含むことを特徴とする請求項６５に記載のモバイル端末機の制御方法。
【請求項７１】
映像信号を受信及び処理して映像を表示し、無線ネットワークを通じてモバイル端末機と連結されたディスプレイ装置の制御方法において、
前記モバイル端末機から共有イメージと、前記共有イメージに対する第１編集情報を受信する段階と；
前記第１編集情報が反映された前記共有イメージを表示する段階と；
ユーザの入力に従って前記共有イメージに対する編集を行う段階と；
前記ユーザの入力による第２編集情報を前記モバイル端末機に送信する段階と；
を含むことを特徴とするディスプレイ装置の制御方法。
【発明の詳細な説明】
【技術分野】
【０００１】
本発明は、モバイル端末機、ディスプレイ装置及びその制御方法に係り、さらに詳しくは、相手の端末機との映像通話中、相手とイメージ及びこれに関する情報を共有することができるモバイル端末機、ディスプレイ装置及びその制御方法に関する。
【背景技術】
【０００２】
最近、携帯電話機、個人携帯端末機、モバイルＰＣなどのようなモバイル端末機の機能と性能が向上することによって、これに対する利用と関心がだんだん大きくなっている。このようなモバイル端末機は、相手との通話機能だけでなく、音楽、映画などを再生するマルチメディア機能、相手との文字、音声などのメッセージ送受信機能など多様な機能を提供することができる。
【０００３】
特に、モバイル端末機は、音声通話だけでなく、相手と映像をやり取りしながら通話をすることができる映像通話機能も提供することができるので、このような映像通話時に、相手と豊かで自由な情報の共有が要請される。
【発明の概要】
【課題を解決するための手段】
【０００４】
従って、本発明は、撮影を行って映像を生成するカメラ部と；音声を入力する音声入力部と；ユーザの入力を受信するユーザ入力部と；画面を表示するディスプレイ部と；無線ネットワークを通じて相手の端末機と通信する無線通信部と；前記カメラ部によって生成された映像及び前記音声入力部によって入力された音声を含む映像通話データを前記ユーザの入力に従って前記相手の端末機に送信して映像通話を行い、前記映像通話中、共有イメージを前記ディスプレイ部に表示し、前記共有イメージを前記映像通話データに付加して、前記相手の端末機に送信する制御部と；を含むモバイル端末機を提供することができる。
【０００５】
本発明は、撮影を行って映像を生成するカメラ部と；音声を入力する音声入力部と；画面を表示するディスプレイ部と；無線ネットワークを通じて相手の端末機と通信する無線通信部と；前記カメラ部によって生成された映像及び前記音声入力部によって入力された音声を前記相手の端末機に送信して映像通話を行い、前記映像通話中、前記相手の端末機から映像通話の映像と共有イメージを含む映像通話データを受信して、前記映像通話の映像及び前記共有イメージを前記ディスプレイ部に表示する制御部と；を含むモバイル端末機を提供することができる。
【０００６】
前記映像通話データは、前記共有イメージに対する編集情報をさらに含み、前記制御部は、前記共有イメージに前記編集情報を反映して表示することができる。
【０００７】
前記モバイル端末機は、ユーザの入力を受信するユーザ入力部をさらに含み、前記制御部は、前記ユーザの入力に従って前記共有イメージに対する編集を行って、前記共有イメージの編集情報を前記相手の端末機に送信することができる。
【０００８】
前記モバイル端末機は、ユーザの入力を受信するユーザ入力部をさらに含み、前記制御部は、前記ユーザの入力に従って前記共有イメージを選択して、前記共有イメージの選択情報を前記相手の端末機に送信することができる。
【０００９】
前記モバイル端末機は、ユーザの入力を受信するユーザ入力部をさらに含み、前記制御部は、前記ユーザの入力に従って選択された少なくとも一つの電子装置に前記共有イメージを送信することができる。
【００１０】
本発明は、撮影を行って映像を生成するカメラ部と；音声を入力する音声入力部と；画面を表示するディスプレイ部と；無線ネットワークを通じて相手の端末機及びディスプレイ機能を有する電子装置と通信を行う無線通信部と；前記カメラ部によって生成された映像及び前記音声入力部によって入力された音声を前記相手の端末機に送信して映像通話を行い、前記映像通話中、前記相手の端末機から映像通話の映像と共有イメージを含む映像通話データを受信して、前記共有イメージを前記電子装置に送信する制御部と；を含むモバイル端末機を提供することができる。
【００１１】
前記モバイル端末機は、ユーザの入力を受信するユーザ入力部をさらに含み、前記制御部は、前記ユーザの入力に従って前記共有イメージを選択して、前記共有イメージの選択情報を前記相手の端末機に送信することができる。
【００１２】
前記モバイル端末機は、ユーザの入力を受信するユーザ入力部をさらに含み、前記制御部は、複数の前記電子装置の中で前記ユーザの入力に従って選択された少なくとも一つの電子装置に前記共有イメージを送信することができる。
【００１３】
本発明は、映像信号を受信する信号受信部と；前記信号受信部に受信された映像信号を処理する信号処理部と；前記信号処理部によって処理された映像信号に基づく映像を表示するディスプレイ部と；無線ネットワークを通じてモバイル端末機と通信を行う無線通信部と；ユーザの入力を受信するユーザ入力部と；前記モバイル端末機から共有イメージと前記共有イメージに対する第１編集情報を受信して、前記第１編集情報が反映された前記共有イメージを前記ディスプレイ部に表示し、前記ユーザの入力に従って前記共有イメージに対する編集を行って、前記ユーザの入力による第２編集情報を前記モバイル端末機に送信する制御部と；を含むディスプレイ装置を提供することができる。
【００１４】
本発明は、無線ネットワークを通じて相手の端末機と連結されたモバイル端末機の制御方法において、前記相手の端末機と映像及び音声を含む映像通話データを送受信して映像通話を行う段階と；前記映像通話中、共有イメージを表示する段階と；前記映像通話データに前記共有イメージを付加して前記相手の端末機に送信する段階と；を含むモバイル端末機の制御方法を提供することができる。
【００１５】
前記モバイル端末機の制御方法は、ユーザの入力に従って前記共有イメージに対する編集を行う段階をさらに含み、前記送信する段階は、前記共有イメージに対する編集情報を前記映像通話データに付加して前記相手の端末機に送信する段階を含むことができる。
【００１６】
前記モバイル端末機の制御方法は、前記相手の端末機から前記共有イメージに対する相手の編集情報を受信する段階と；前記相手の編集情報が反映された前記共有イメージを表示する段階と；をさらに含むことができる。
【００１７】
前記モバイル端末機の制御方法は、前記相手の端末機から前記共有イメージの選択情報を受信する段階と；前記選択情報に従って前記共有イメージを選択する段階と；をさらに含むことができる。
【００１８】
本発明は、無線ネットワークを通じて相手の端末機と連結されたモバイル端末機の制御方法において、前記相手の端末機、映像及び音声を送受信して映像通話を行う段階と；前記映像通話中、前記相手の端末機から映像通話の映像及び共有イメージを含む映像通話データを受信する段階と；前記映像通話の映像及び前記共有イメージを表示する段階と、を含むモバイル端末機の制御方法を提供することができる。
【００１９】
前記モバイル端末機の制御方法は、ユーザの入力に従って前記共有イメージに対する編集を行う段階と；前記ユーザの入力による編集情報を前記相手の端末機に送信する段階と、をさらに含むことができる。
【００２０】
前記モバイル端末機の制御方法は、ユーザの入力に従って前記共有イメージを選択する段階と；前記共有イメージの選択情報を前記相手の端末機に送信する段階と；をさらに含むことができる。
【００２１】
前記モバイル端末機の制御方法は、無線ネットワークを通じて連結されたディスプレイ装置に前記共有イメージを送信する段階をさらに含むことができる。
【００２２】
前記モバイル端末機の制御方法は、ディスプレイ機能を有する複数の電子装置の中で少なくとも一つの電子装置を選択する段階と；前記選択された少なくとも一つの電子装置に前記共有イメージを送信する段階と；をさらに含むことができる。
【００２３】
前記モバイル端末機の制御方法は、前記選択された電子装置の属性に対応して、送信する前記共有イメージを変換する段階をさらに含むことができる。
【００２４】
本発明は、無線ネットワークを通じて相手の端末機及びディスプレイ機能を有する少なくとも一つの電子装置と連結されたモバイル端末機の制御方法において、前記相手の端末機と映像及び音声を送受信して映像通話を行う段階と；前記映像通話中、前記相手の端末機から映像通話の映像及び共有イメージを含む映像通話データを受信する段階と；前記共有イメージを前記電子装置に送信する段階と；を含むモバイル端末機の制御方法を提供することができる。
【００２５】
前記モバイル端末機の制御方法は、前記電子装置からユーザの編集情報を受信する段階と；前記ユーザの編集情報を前記相手の端末機に送信する段階と；をさらに含むことができる。前記モバイル端末機の制御方法は、ユーザの入力に従って前記共有イメージを選択する段階と；前記共有イメージの選択情報を前記相手の端末機に送信する段階と；をさらに含むことができる。
【００２６】
前記モバイル端末機の制御方法は、複数の前記電子装置の中で少なくとも一つの電子装置を選択する段階をさらに含み、前記送信する段階は、前記選択された少なくとも一つの電子装置に前記共有イメージを送信する段階を含むことができる。
【００２７】
前記モバイル端末機の制御方法は、前記選択された電子装置の属性に対応して、送信する前記共有イメージを変換する段階をさらに含むことができる。
【００２８】
本発明は、映像信号を受信及び処理して映像を表示し、無線ネットワークを通じてモバイル端末機と連結されたディスプレイ装置の制御方法において、前記モバイル端末機から共有イメージ及び前記共有イメージに対する第１編集情報を受信する段階と；前記第１編集情報が反映された前記共有イメージを表示する段階と；ユーザの入力に従って前記共有イメージに対する編集を行う段階と；前記ユーザの入力による第２編集情報を前記モバイル端末機に送信する段階と；を含むディスプレイ装置の制御方法を提供することができる。
【図面の簡単な説明】
【００２９】
【図１】本発明の一実施形態によるモバイル端末機及びディスプレイ装置を示す図である。
【図２】図１に示すモバイル端末機の構成を示すブロック図である。
【図３】図２に示すモバイル端末機の動作を示す流れ図である。
【図４】図２に示すモバイル端末機の動作を示す流れ図である。
【図５】図３に示すモバイル端末機の表示状態を示す図である。
【図６】図３に示すモバイル端末機の表示状態を示す図である。
【図７】図３に示すモバイル端末機の表示状態を示す図である。
【図８】図４に示すモバイル端末機の表示状態を示す図である。
【図９】図４に示すモバイル端末機の表示状態を示す図である。
【図１０】図１に示すディスプレイ装置の構成を示すブロック図である。
【図１１】図２に示すモバイル端末機の動作を示す流れ図である。
【図１２】図１０に示すディスプレイ部の動作を示す流れ図である。
【図１３】図１１に示すモバイル端末機の表示状態を示す図である。
【図１４】図１１に示すモバイル端末機の表示状態を示す図である。
【図１５】図１１に示すモバイル端末機の表示状態を示す図である。
【図１６】図１２に示すモバイル端末機の表示状態を示す図である。
【図１７】図１２に示すモバイル端末機の表示状態を示す図である。
【発明を実施するための形態】
【００３０】
以下、本発明の一実施形態に対して詳細に説明する。図１は、本発明の一実施形態によるモバイル端末機を示す図である。図１に示すように、本発明の一実施形態による一対のモバイル端末機１及び２は、無線ネットワークによって連結されて、互いに通信を行う。本実施形態のモバイル端末機１及び２は、無線ネットワーク通信機能を備える装置として、携帯電話機、モバイルＰＣ、個人携帯端末機など多様な形態の装置で具現されることができる。
【００３１】
一対のモバイル端末機１及び２は、発信者及び受信者が互いに通話することができる通話機能を行うのに、この中でいずれか一つは発信側端末機、他の一つは受信側端末機に該当する。モバイル端末機１及び２によって行われる通話は、互いに映像及び音声をやり取りしながら通話をすることができる映像通話を含む。本実施形態による映像通話のために、モバイル端末機１及び２が行う通信の方式は多様であると共に、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＥＤＧＥ（Ｅｎｈａｎｃｅｄ  Ｄａｔａ  ｒａｔｅｓ  ｆｏｒ  ＧＳＭ（登録商標）  Ｅｖｏｌｕｔｉｏｎ）、ＬＴＥ（Ｌｏｎｇ  Ｔｅｒｍ  Ｅｖｏｌｕｔｉｏｎ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などでありうる。
【００３２】
本発明の一実施形態による無線ネットワークは、図１に示すように、モバイル端末機１及び２の各々と無線通信信号をやり取りするための基地局（Ｂａｓｅ  Ｓｔａｔｉｏｎ  Ｔｒａｎｓｍｉｓｓｉｏｎ  Ｓｙｓｔｅｍ）４１及び４２と、複数の基地局４１及び４２を制御及び管理する基地局制御機（Ｂａｓｅ  Ｓｔａｔｉｏｎ  Ｃｏｎｔｒｏｌｌｅｒ）５と、基地局制御機５を通じてモバイル端末機１及び２間の呼接続（call connection）を行う交換機（Ｍｏｂｉｌｅ  Ｓｗｉｔｃｈｉｎｇ  Ｃｅｎｔｅｒ）６と、を含むことができる。また、図１に示すように、サービスサーバー８は、ネットワーク７を通じて、交換機６と連動して、一対のモバイル端末機１及び２間の映像通話のためのサービスを提供することができる。ネットワーク７はインターネットを含むことができる。
【００３３】
本発明の一実施形態によるモバイル端末機１及び２は、映像通話中に、発信者及び受信者が所定のイメージ（以下、“共有イメージ”と言う）を互いに共有できるようにする。また、モバイル端末機１及び２は、映像通話中に、発信者及び/または受信者が共有イメージに対する編集を可能にし、その編集結果（以下、“編集情報”と言う）を互いに共有できるようにする。以下、図２に示すように、本発明の一実施形態によるモバイル端末機１及び２をさらに詳しく説明する。
【００３４】
図２は、本発明の一実施形態によるモバイル端末機１及び２の構成を示すブロック図である。図２において、一対のモバイル端末機１及び２は、別の装置であるが、図示の便宜のため、共に示す。図２に示す一対のモバイル端末機１及び２の中でモバイル端末機１は発信側端末機、モバイル端末機２は受信側端末機と仮定する。
【００３５】
図２に示すように、発信側のモバイル端末機１は、カメラ部１１、音声入力部１２、無線通信部１３、ディスプレイ部１４、音声出力部１５、ユーザ入力部１６及び制御部１８を含む。
【００３６】
カメラ部１１は、撮影を行って、映像通話に必要な映像を生成する。カメラ部１１は、図示されない構成として、光を入射する少なくとも一つのレンズを含む光学部と、レンズを通じて入射された光を電気的データに変換して映像を生成するイメージセンサーと、を含むことができる。
【００３７】
音声入力部１２は、例えば、マイクロホンのような音声センサー（図示せず）を含み、音声通話に必要な音声が入力される。
【００３８】
無線通信部１３は、無線ネットワークに連結されて所定の無線通信方式で相手の端末機２との通信を行う。無線通信部１３は、映像通話時、制御部１８の制御に従ってカメラ部１１によって生成された映像及び音声入力部１２によって入力された音声を含む映像通話データを相手の端末機２に送信し、相手の端末機２から映像及び音声を含む映像通話データを受信する。
【００３９】
ディスプレイ部１４は、画面を表示し、ＬＣＤなどのようなディスプレイデバイス（図示せず）を含むことができる。本実施形態のディスプレイ部１４は、映像通話時、制御部１８の制御に従って相手の端末機２からの映像を表示する。
【００４０】
音声出力部１５は、音声を出力し、内部スピーカーなどのような音声出力デバイス（図示せず）を含むことができる。または、音声出力部１５は、イヤホン、ヘッドセット、外部スピーカー等のような外部音声出力デバイス（図示せず）の連結のためのコネクター（図示せず）をさらに含み、連結された外部音声出力デバイスに音声を出力することもできる。本実施形態の音声出力部１５は、音声通話または映像通話時、制御部１８の制御に従って相手の端末機２からの音声を出力する。
【００４１】
ユーザ入力部１６は、モバイル端末機１の操作のためのユーザの入力を受信する。ユーザ入力部１６は、数字、文字などの入力のための複数のキーを備えるキーパッド（図示せず）を含むことができる。本実施形態のキーパッドは、タッチパッドの形態で具現されることもできる。また、本実施形態によるユーザ入力部１３は、ユーザの入力としてディスプレイ部１４上のユーザのモーション或いはジェスチャーを感知する感知センサー（図示せず）をさらに含むことができる。ユーザ入力部１３の感知センサーは、例えばＬＣＤのようなディスプレイ部１４のパネル形態のディスプレイデバイスに重なるように設けられる、いわゆるタッチスクリーンで具現されることができる。
【００４２】
制御部１８は、モバイル端末機１の全般的な制御を行う。制御部１８は、ユーザ入力部１６を通じたユーザの入力によって、映像通話機能が選択されれば、入力された電話番号を参照して無線通信部１３を通じて相手の端末機２に対する呼接続を要請する。制御部１８は、相手の端末機２との呼接続が行なわれれば、カメラ部１１によって生成された映像及び音声入力部１２によって入力された音声を含む映像通話データを無線通信部１３を通じて相手の端末機２に送信し、無線通信部１３を通じて相手の端末機２から受信される映像通話データに含まれた映像及び音声がディスプレイ部１４及び音声出力部１５に各々出力されるように制御を行う。
【００４３】
図２に示すように、受信側のモバイル端末機２は、カメラ部２１、音声入力部２２、無線通信部２３、ディスプレイ部２４、音声出力部２５、ユーザ入力部２６及び制御部２８を含む。本実施形態による受信側のモバイル端末機２のカメラ部２１、音声入力部２２、無線通信部２３、ディスプレイ部２４、音声出力部２５、ユーザ入力部２６及び制御部２８は、発信側のモバイル端末機１のカメラ部１１、音声入力部１２、無線通信部１３、ディスプレイ部１４、音声出力部１５、ユーザ入力部１６及び制御部１８に各々対応する。以下、他の特別な言及がない限り、受信側のモバイル端末機２の各構成は、発信側のモバイル端末機１の対応する構成と同一または類似の動作を行うことにする。
【００４４】
受信側のモバイル端末機２の無線通信部２３は、無線ネットワークを通じて発信側のモバイル端末機である相手の端末機１との通信を行う。受信側のモバイル端末機２の制御部２８は、相手の端末機１からの呼接続が要請されれば、音声出力部２５等を通してユーザにこれを知らせて、ユーザ入力部２６を通じたユーザの呼応信の確認入力に従って映像通話を開始する。制御部２８は、映像通話時、カメラ部２１によって生成された映像及び音声入力部２２によって入力された音声を無線通信部２３を通じて相手の端末機１に送信し、無線通信部２３を通じて相手の端末機１から受信される映像及び音声がディスプレイ部２４及び音声出力部２５に各々出力されるように制御を行う。
【００４５】
本実施形態のモバイル端末機１及び２は、映像通話中に、共有イメージを表示して、両側のユーザが共有イメージを互いに共有できるようにする。また、モバイル端末機１及び２は、共有イメージに対する編集を行って、その編集情報を相手の端末機に送信して、共有イメージに対する編集情報を共有することができる。以下、図３乃至図６を参照して、これに対してさらに詳細に説明する。
【００４６】
図３及び図４は、本発明の一実施形態によるモバイル端末機１及び２の具体的な動作を各々示す流れ図である。図５乃至図７と、図８及び９は、図３及び４に示すモバイル端末機１及び２によって各々表示される共有イメージ及び編集情報を示す。先ず、図３及び４に示すように、モバイル端末機１及び２は、前記のように、相手の端末機２及び１と映像及び音声を含む映像通話データを送受信しながら、映像通話を行う（３０１及び４０１）。
【００４７】
次に、図３に示すように、モバイル端末機１の制御部１８は、図６に示すように、映像通話中に、共有イメージ１４３を映像通話の映像１４１と共にディスプレイ部１４に表示する（３０２）。モバイル端末機１の制御部１８は、映像通話の映像１４１と共にディスプレイ部１４に表示された共有イメージ１４３を相手の端末機２に送信する。相手の端末機２は、モバイル端末機１との映像通話中、モバイル端末機１から共有イメージが含まれた映像通話データが受信されれば、映像通話の映像と共に共有イメージを表示することができる。例えば、図８に示すように、映像通話の映像２４１及び共有イメージ２４３が、相手の端末機２のディスプレイ部２４に表示されることができる（図８の符号２４４は、編集情報（後述される）を示すと共に、編集情報は、現在の状態ではまだ見られないものと理解されることができる）。
【００４８】
動作３０２で、イメージ共有の開始は、ユーザ入力部１６を通じたユーザの入力によって行なわれることができる。例えば、モバイル端末機１の制御部１８は、図５に示すように、映像通話中にユーザの入力に従ってイメージ共有のためのメニュー１４２をディスプレイ部１４に表示し、メニュー１４２に対するユーザの選択に従ってイメージ共有を開始することができる。イメージ共有のためのメニュー１４２は、映像通話に関する映像１４１の上にポップアップの形態で表示されることができる。イメージ共有の開始は、相手の端末機２のユーザの要請によっても行なわれることもできる。例えば、相手の端末機２は、映像通話中に相手の端末機２のユーザがイメージ共有を要請すれば、該当要請情報をモバイル端末機１に送信する。モバイル端末機１は、相手の端末機２からのイメージ共有の要請情報が受信されれば、イメージ共有を開始することができる。
【００４９】
モバイル端末機１の制御部１８は、イメージ共有のためのメニュー１４２がユーザによって選択されれば、図６に示すように、所定の共有イメージ１４３をディスプレイ部１４に表示する。本実施形態の共有イメージ１４３は、ディスプレイ部１４に表示可能な多様な形態のイメージを全部含み、例えば、写真、絵、動画などでありうる。
【００５０】
本発明の一実施形態によるモバイル端末機１は、図２に示すように、フラッシュメモリーなどのような非揮発性のメモリーとして、共有イメージ１４３が保存される保存部１７をさらに含むことができる。モバイル端末機１の制御部１８は、ユーザによって、イメージ共有のためのメニュー１４２が選択されれば、共有イメージの選択のためのメニュー（図示せず）をディスプレイ部１４に表示し、これによってユーザが保存部１７に保存された共有イメージ１４３を選択するようにすることができる。共有イメージ１４３の選択は、モバイル端末機１のユーザだけでなく、相手の端末機２のユーザによっても行なわれることができる。具体的に、モバイル端末機１は、相手の端末機２から共有イメージ１４３の選択要請があれば、共有イメージ１４３に関する情報を相手の端末機２に送信する。相手の端末機２のユーザは共有イメージ１４３に関する情報に基づいて共有しようとするイメージを選択し、相手の端末機２は共有イメージ１４３の選択結果をモバイル端末機１に送信する。モバイル端末機１は、相手の端末機２からの選択結果による共有イメージ１４３をディスプレイ部１４に表示する。
【００５１】
本実施形態の共有イメージ１４３は、図６に示すように、映像通話に関する映像１４１と共にディスプレイ部１４に表示される。従って、ユーザは、映像通話をしながらも、すぐに共有イメージ１４３を見られて、さらに便利に情報を共有することができる。  
【００５２】
モバイル端末機１の制御部１８は、映像通話中に、共有イメージ１４３に対する編集を行なうことができる（３０２）。本実施形態による共有イメージ１４３の編集は、ユーザ入力部１６を通じたユーザの入力に従って行なわれ、共有イメージ１４３に対して多様な形態で具現されることができる。例えば、共有イメージ１４３の編集は、図６に示すように、共有イメージ１４３に対するユーザのジェスチャーを示すイメージ（以下、“ジェスチャーイメージ”と言う）１４４の付加を含む。モバイル端末機１の制御部１８は、ディスプレイ部１４に設けられたユーザ入力部１６のタッチスクリーン等を通して共有イメージ１４３に対するユーザのジェスチャーがあると判断すれば、これに対応するジェスチャーイメージ１４４が共有イメージ１４３に重なるようにディスプレイ部１４に表示する。本実施形態のジェスチャーイメージ１４４は、本発明の編集情報の一例である。
【００５３】
また、図３に示すように、モバイル端末機１の制御部１８は、共有イメージ１４３に対する編集が行なわれれば、無線通信部１３を通じて映像通話データに共有イメージ１４３及び編集情報１４４を付加して相手の端末機２に送信する（３０３）。実施形態によっては、共有イメージ１４３に対する編集は省略されることもできるし、この場合、映像通話データに編集情報１４４は含まれないこともできる。以下の実施形態では、共有イメージ１４３に対する編集が行なわれることを例えて説明するが、本発明は、これに限定されない。
【００５４】
映像通話データに共有イメージ１４３と編集情報１４４を付加して相手の端末機２に送信する方法は、多様に具現されることができる。例えば、モバイル端末機１の制御部１８は、映像通話の映像２４１と共有イメージ１４３を合成して一つの合成映像２４１及び１４３を生成し、合成映像２４１及び１４３の形態で映像通話の映像２４１と、共有イメージ１４３を相手の端末機２に送信することができる。もちろん、映像の合成には編集情報１４４も反映されることができる。
【００５５】
他の実施形態として、モバイル端末機１の制御部１８は、共有イメージ１４３と、編集情報１４４を個別情報の形態で相手の端末機２に送信することもできる。例えば、一つの映像通話データの区間を分割したり、別個の複数の映像通話データの区間を設けて、その区間に映像通話の映像２４１と、共有イメージ１４３及び編集情報１４４のデータをのせて送信することができる。この場合、映像通話の映像２４１と、共有イメージ１４３及び編集情報１４４を各々示す識別情報を該当データに各々付加して、相手の端末機２が各データを識別して処理できるようにすることができる。本実施形態の識別情報は、いわゆるメタデータの形態で具現されることができるし、メタデータは、映像２４１等のフォーマット、出処などに関する情報を含むことができる。
【００５６】
一方、モバイル端末機２の制御部２８は、図４に示すように、映像通話中、相手の端末機１から共有イメージ１４３及び編集情報１４４が含まれた映像通話データを受信する（４０２）。例えば、モバイル端末機２の制御部２８は、相手の端末機１が合成映像の形態で映像通話の映像２４１と、共有イメージ１４３及び編集情報１４４を送信するか否かを確認して、該当合成映像を受信するように無線通信部２３を制御することができる。または、モバイル端末機２の制御部２８は、相手の端末機１から受信される映像通話データに含まれた識別情報を確認して、識別情報に基づいて映像通話の映像２４１と、共有イメージ１４３及び編集情報１４４を区別して受信するように無線通信部２３を制御することもできる。
【００５７】
次に、モバイル端末機２の制御部２８は、図８に示すように、映像通話中に、映像通話の映像２４１と共に、編集情報２４４が反映された共有イメージ２４３をディスプレイ部２４に表示する（４０３）。例えば、モバイル端末機２の制御部２８は、相手の端末機１から合成映像２４１、２４３及び２４４を受信して、合成映像２４１、２４３及び２４４をディスプレイ部２４に表示することもできる。また、モバイル端末機２の制御部２８は、個別情報の形態で受信された映像通話の映像２４１と、共有イメージ２４３及び編集情報２４４のデータを各々処理して、映像通話の映像２４１及び編集情報２４４が反映された共有イメージ２４３をディスプレイ部２４に表示することもできる。
【００５８】
このように、本実施形態の共有イメージ２４３及び編集情報２４４は、映像通話のための映像２４１と共に表示される。従って、モバイル端末機２のユーザは、相手との映像通話中に、相手から共有イメージに関する編集状況がすぐに送信されてこれを視覚的に確認することができるので、さらに豊かで容易な情報を共有することができる。
【００５９】
追加的に適用可能な実施形態として図４を参照すれば、モバイル端末機２の制御部２８は、ユーザ入力部２６を通しるユーザの入力に従って共有イメージ２４３に対する編集を行って（４０４）、ユーザの入力による編集情報（図９の符号２４５参照）を相手の端末機１に送信することもできる（４０５）。これに対応して、図３を参照すれば、モバイル端末機１の制御部１８は、相手の端末機２から相手の編集情報２４５を受信して（３０４）、図５Ｃに示すように、相手の編集情報１４５が反映された共有イメージ１４３をディスプレイ部１４に表示する（３０５）。従って、通話の両側当事者が、共に共有イメージの編集に参加し、これを共有することができるので、情報の共有がさらに向上され便利になる。
【００６０】
共有イメージ１４３の編集は、前記実施形態に限られず、多様に具現されることができる。例えば、共有イメージ１４３を拡大、縮小または回転したり、色を変更したり、あるいは共有イメージ１４３の少なくとも一部に対するイメージ補正を行うことも編集に該当することができる。また、ユーザによって入力されるテキストなどを共有イメージ１４３上に付加することもできる。
【００６１】
以下、図１及び図１０乃至図１１を参照して、本発明の他の実施形態に対して説明する。図１に示すように、本実施形態によるモバイル端末機２は、ＴＶのようなディスプレイ装置３と通信を行う。図１０は、本発明の一実施形態によるディスプレイ装置３の構成を示すブロック図である。図１０に示すように、ディスプレイ装置３は、信号受信部３１、信号処理部３２、ディスプレイ部３３、無線通信部３４、ユーザ入力部３５及び制御部３６を含むことができる。
【００６２】
信号受信部３１は、映像信号を受信する。本実施形態による映像信号は、複数のチャンネルを有する放送信号を含む。放送信号は、例えば、ＤＴＶ信号でありうる。信号処理部３２は、信号受信部３１によって受信された映像信号に対して所定の映像処理を行う。信号処理部３２が行う映像処理は、多重分離（Ｄｅｍｕｌｔｉｐｌｅｘｉｎｇ）、デコーディング、イメージエンハンシング、スケーリングなどを含む。ディスプレイ部３３は、信号処理部３２によって処理される映像信号に基づいて映像を表示する。ディスプレイ部３３は、ＬＣＤ、ＰＤＰ、ＯＬＥＤなどのディスプレイデバイス（図示せず）を含むことができる。
【００６３】
無線通信部３４は、モバイル端末機２と通信を行う。無線通信部３４とモバイル端末機２との通信方式は、ＤＬＮＡ（Ｄｉｇｉｔａｌ  Ｌｉｖｉｎｇ  Ｎｅｔｗｏｒｋ  Ａｌｌｉａｎｃｅ）等のようなホームネットワーク通信方式を含む。これに対応して、モバイル端末機２の無線通信部２３は、ディスプレイ部３３の無線通信部３４との通信機能をさらに備える。ユーザ入力部３５は、リモコンまたは操作パネルなどの形態で設けられて、ユーザの入力を受信する。制御部３６は、ディスプレイ装置３を全般的に制御する。その他に、ディスプレイ装置３は、スピーカーなどのように音声を出力する音声出力部（図示せず）、電源を供給する電源供給部などをさらに含むことができる。
【００６４】
図１１及び１２は、本実施形態によるモバイル端末機２及びディスプレイ装置３の動作を各々示す流れ図である。図１３乃至図１５と、図１６及び図１７は、図１１及び図１２に示すモバイル端末機２及びディスプレイ装置３の表示状態を各々示す。以下、図１１乃至図１７を参照して説明される本実施形態のモバイル端末機２に対して、図２乃至図９を参照して説明する前記実施形態のモバイル端末機２と同一または類似の構成に対する説明は省略する。
【００６５】
先に、図１１に示すように、モバイル端末機２の制御部２８は、相手の端末機１と、映像及び音声を含む映像通話データを送受信しながら映像通話を行う（８０１）。また、モバイル端末機２の制御部２８は、映像通話中、相手の端末機１から共有イメージと、編集情報を含む映像通話データを受信する（８０２）。受信された共有イメージ２４３と編集情報２４４は、図１０Ａに示すように、映像通話の映像２４１と共にディスプレイ部２４に表示されることもできる。
【００６６】
次に、モバイル端末機２の制御部２８は、映像通話中、受信された共有イメージ２４３と、編集情報２４４を無線通信部２３を通じてディスプレイ装置３に送信する（８０３）。共有イメージ２４３と、編集情報２４４をディスプレイ装置３に送信することにおいて、モバイル端末機２の制御部２８は、図１４に示すように、共有イメージの送信のためのメニュー２４６をディスプレイ部３３に表示し、ユーザ入力部３５を通じてユーザがメニュー２４６を選択するようにして、共有イメージ２４３と、編集情報２４４の送信を開始することができる。
【００６７】
これに対応して、ディスプレイ装置３の制御部３６は、図１２に示すように、無線通信部３４を通じてモバイル端末機２から共有イメージ２４３と編集情報２４４を受信する（９０１）。次に、ディスプレイ装置３の制御部３６は、図１６に示すように、モバイル端末機２から受信された編集情報３３２が反映された共有イメージ３３１をディスプレイ部３３に表示する（９０２）。従って、モバイル端末機２に比べて、大きい画面と、優秀な画質でより便利に共有イメージと、編集情報を共有することができるので、情報共有の環境がより一層改善される。
【００６８】
また、図１２に示すように、ディスプレイ装置３の制御部３６は、リモコン等のようなユーザ入力部３５を通じたユーザの入力に従ってディスプレイ部３３に表示された共有イメージ３３１に対する編集を行う（９０３）。ディスプレイ装置３での共有イメージ３３１に対する編集は、例えば、図１７に示すように、共有イメージ３３１に対するユーザのジェスチャーによるイメージ３３３の付加でありうる。イメージ３３３は、編集情報の他の例である。ディスプレイ装置３での共有イメージ３３１に対する編集は、ユーザ入力部３５のリモコンに設けられたキーの選択で行なわれることができるし、ユーザ入力部３５のリモコンに備わったモーションセンサー（図示せず）によってユーザのモーション、またはジェスチャーを感知して具現されることができる。図１２に示すように、ディスプレイ装置３の制御部３６は、ユーザの入力による編集情報３３３を無線通信部２４を通じてモバイル端末機２に送信する（９０４）。この場合、編集情報３３３だけが送信されることができて、共有イメージ３３１に編集情報３３３が反映された状態で送信されることもできる。
【００６９】
これに対応して、モバイル端末機２の制御部２８は、図１１に示すように、ディスプレイ装置３から共有イメージ３３１に対するユーザの編集情報３３３を受信する（８０４）。受信された編集情報２４５は、図１５に示すように、ディスプレイ部２４に表示されることができる。図１１に示すように、モバイル端末機２の制御部２８は、共有イメージ２４３及び編集情報２４５を映像通話の映像１４１と共に相手の端末機１に送信する（８０５）。
【００７０】
以下、本発明の一実施形態によるモバイル端末機２の他の実施形態に対して説明する。本実施形態のモバイル端末機２に対して、図１乃至図１７を参照して説明するモバイル端末機２の同一、または類似の構成に対しは説明を省略する。本実施形態では、モバイル端末機２の周辺にモバイル端末機２と通信連結可能な電子装置（図示せず）が複数であるものとする。本実施形態での電子装置は、図１０、図１２、図１６及び図１７を参照して説明するディスプレイ装置３だけでなく、ＰＣのようなコンピュータシステム、スマートフォンなどの個人用端末機のように、モバイル端末機２と通信連結可能であり、イメージのディスプレイ機能を有する装置を全部含む。
【００７１】
モバイル端末機２は、相手の端末機１との映像通話中に、複数の電子装置の中で少なくとも一つを選択し、選択された電子装置に共有イメージを送信する。電子装置は、モバイル端末機２から送信される共有イメージを表示する。モバイル端末機２は、共有イメージとともに共有イメージの編集情報及び/または映像通話の映像を選択された電子装置に伝送することができるし、電子装置は、送信された編集情報及び/または映像通話の映像を表示することができる。モバイル端末機２は、複数の電子装置の中でユーザによって選択された少なくとも一つの電子装置に共有イメージを送信することができる。
【００７２】
複数の電子装置の中で共有イメージなどを送信する電子装置の選択においては、各電子装置の属性が考慮されることができる。本実施形態での電子装置の属性は、装置自らの属性、装置周辺環境、連結性、支援コーデックなどを含む。複数の電子装置それぞれの属性に関する情報（以下、“装置属性情報”と言う）は、各電子装置からモバイル端末機２に送信されたり、モバイル端末機２の保存部２７に予め保存されることができる。モバイル端末機２は、装置属性情報を参照して、複数の電子装置の中で送信する共有イメージに適合すると判断される少なくとも一つの電子装置を選択する。
【００７３】
共有イメージなどを送信する電子装置の選択においては、共有イメージの属性が考慮されることができる。本実施形態での共有イメージの属性は、イメージの解像度、データ量などを含む。モバイル端末機２は、複数の電子装置の中で送信する共有イメージの属性に対応する少なくとも一つの電子装置を選択することができる。例えば、送信する共有イメージの解像度の高い場合、複数の電子装置の中でディスプレイ解像度の高い電子装置が選択されることができる。他の例として、送信する共有イメージのデータ量の多い場合、複数の電子装置の中でデータ処理能力（或いは、処理量、処理速度）の優れた電子装置が選択されることができる。
【００７４】
共有イメージなどを送信する電子装置の選択においては、モバイル端末機２のユーザの属性が考慮されることができる。本実施形態でユーザの属性は、ユーザの年齢、身体状態、嗜好、機器使用パターンなどを含む。ユーザの属性に関する情報（以下、“ユーザ属性情報”と言う）は、モバイル端末機２の保存部２７に保存されることができる。ユーザ属性情報は、モバイル端末機２のユーザによって設定及び/または変更されることができる。モバイル端末機２は、ユーザ属性情報を参照して、複数の電子装置の中でユーザの属性に対応する少なくとも一つの電子装置を選択することができる。例えば、ユーザが年寄りである場合、画面が大きい電子装置が選択されることができる。
【００７５】
モバイル端末機２は、送信する共有イメージを伝送される電子装置に合うように変換することができる。モバイル端末機２は、伝送される電子装置の装置属性情報を考慮して、共有イメージを変換することができる。例えば、モバイル端末機２は、伝送される電子装置に合うように共有イメージの解像度を変換したり、共有イメージのフォーマットを変換することができる。
【００７６】
以上、望ましい実施形態を通じて本発明に関して詳細に説明したが、本発明は、これに限定されず、特許請求範囲内で多様に実施されることができる。
【符号の説明】
【００７７】
１    モバイル端末機
２    モバイル端末機
５    基地局制御機
６    交換機
７    ネットワーク
８    サービスサーバー
１１    カメラ部
１２    音声入力部
１３    無線通信部
１４    ディスプレイ部
１５    音声出力部
１６    ユーザ入力部
１７    保存部
１８    制御部
２１    カメラ部
２２    音声入力部
２３    無線通信部
２４    ディスプレイ部
２５    音声出力部
２６    ユーザ入力部
２７    保存部
２８    制御部
３１    信号受信部
３２    信号処理部
３３    ディスプレイ部
３４    無線通信部
３５    ユーザ入力部
３６    制御部
４１    基地局
４２    基地局
１４１    映像通話の映像
１４２    メニュー
１４３    共有イメージ
１４４    編集情報（ジェスチャーイメージ）
１４５    相手の編集情報
２４１    映像通話の映像
２４３    共有イメージ
２４４    編集情報
２４５    相手の編集情報
２４６    メニュー
３３１    共有イメージ
３３２    編集情報
３３３    編集情報（イメージ）
【図１】
2013511194.tif 000003
【図２】
2013511194.tif 000004
【図３】
2013511194.tif 000005
【図４】
2013511194.tif 000006
【図５】
2013511194.tif 000007
【図６】
2013511194.tif 000008
【図７】
2013511194.tif 000009
【図８】
2013511194.tif 000010
【図９】
2013511194.tif 000011
【図１０】
2013511194.tif 000012
【図１１】
2013511194.tif 000013
【図１２】
2013511194.tif 000014
【図１３】
2013511194.tif 000015
【図１４】
2013511194.tif 000016
【図１５】
2013511194.tif 000017
【図１６】
2013511194.tif 000018
【図１７】
2013511194.tif 000019
【国際調査報告】
2013511194.tif 000020
2013511194.tif 000021